(57)【特許請求の範囲】
【請求項１】
内面を有する筺体と、
一方の表面が前記内面に対向して前記筺体内に配設された主回路基板と、
前記主回路基板上に実装されたコネクタと、
前記コネクタに接続された一端部と前記主回路基板の外側に延出する延出部とを有し、前記主回路基板とほぼ平行に配置された副回路基板と、
前記主回路基板の前記一方の表面が対向する前記内面と前記副回路基板の延出部との間に設けられ、前記延出部を前記副回路基板の表面と交差する方向に弾性変形可能なばね部で支持し、前記延出部に固定され前記副回路基板の面方向の移動を規制するばね支持機構と、
を備える電子機器。
【請求項２】
前記ばね支持機構は、前記主回路基板の前記一方の表面が対向する前記筺体の前記内面と前記副回路基板との間に配置されたばね支持部材を有し、このばね支持部材は、前記筐体に固定された固定部と、この固定部から延出し前記ばね部を形成するアーム部と、を有し、前記副回路基板の延出部は、前記アーム部の自由端上に支持および固定されている請求項１に記載の電子機器。
【請求項３】
前記ばね支持部材は、金属板ばねにより形成され、前記アーム部の自由端に固定されたナットを有し、前記副回路基板の延出部は、前記ナットにねじ止めされている請求項２に記載の電子機器。
【請求項４】
前記ナットは、前記アーム部において、前記副回路基板と反対側の面に固定され、前記筺体の内面と隙間を置いて対向し、前記アーム部の変位量を規制するストッパを構成している請求項３に記載の電子機器。
【請求項５】
前記ナットは、前記アーム部において、前記副回路基板側の面に固定され、前記ばね支持機構は、前記筺体に固定され前記アーム部と隙間を置いて対向し、前記アーム部の変位量を規制するストッパを有している請求項３に記載の電子機器。
【請求項６】
前記ばね支持機構は、前記主回路基板の前記一方の表面が対向する前記筺体の前記内面と前記副回路基板との間に配置されたばね支持部材を有し、このばね支持部材は、前記筐体に固定された固定部と、この固定部から両側に延出しそれぞれ前記ばね部を形成する２つのアーム部と、を有し、前記副回路基板の延出部は、２つの前記アーム部の自由端上に支持および固定されている請求項１に記載の電子機器。
【請求項７】
前記ばね支持部材は、金属板ばねにより形成され、前記アーム部の自由端に固定されたナットを有し、前記副回路基板の延出部は、前記ナットにねじ止めされている請求項６に記載の電子機器。
【請求項８】
前記ばね支持部材は、前記各アームの自由端に形成されほぼＵ字形状に折り曲げられた保持部と、前記保持部の内面に形成された係合突起と、を有し、
前記副回路基板の延出部は、前記ばね支持部材の係合突起と係合する係合溝を有し、前記保持部に保持されている請求項６に記載の電子機器。
【請求項９】
前記筺体は、底面を有するベースと、ベースに重ねて設けられたトップカバーと、を備え、前記主回路基板は、前記筺体内で前記ベースの底面上にねじ止め固定され、
前記ばね支持機構は、前記ベースの底面と、前記副回路基板との間に設けられている請求項１ないし８のいずれか１項に記載の電子機器。
【請求項１０】
前記ベースおよびトップカバーは前端部および後端部を有し、前記ばね支持機構は、前記ベースの前端部に位置して設けられる請求項９に記載の電子機器。
【発明の詳細な説明】
【技術分野】
【０００１】
本発明は、筺体内に設けられた主回路基板およびこの主回路基板に接続された副回路基板を有する電子機器に関する。
【背景技術】
【０００２】
電子機器として、例えば、携帯可能なノート型のパーソナルコンピュータ（以下、ノートＰＣと称する）は、外壁を形成する筐体と、筐体内に設けられた種々の電子部品、記憶装置等を備えている。
【０００３】
通常、筺体内には主回路基板が設けられ、この主回路基板は、筺体の内面に突設された複数のボスにねじ止め固定されている。そして、主回路基板上には、多数の電子部品が実装されているとともに、種々のコネクタが実装されている。コネクタには、例えば、メモリモジュール等の副回路基板の一端が接続され、この副回路基板の他端は主回路基板上に支持されている。また、主回路基板上に実装されたコネクタに、副回路基板の一端を接続し、副回路基板の他端を、主回路基板上に固定された補強金具により支持する配線板の取り付け構造が提案されている（例えば、特許文献１）。更に、主回路基板上に実装されたコネクタに、副回路基板の一端を接続し、副回路基板の他端をねじ止めすることなく、ばねで保持する基板の取り付け構造が提案されている（例えば、特許文献２）。
【先行技術文献】
【特許文献】
【０００４】
【特許文献１】実開平５−５５５７４号公報
【特許文献２】実開平４−５９１９６号公報
【発明の概要】
【発明が解決しようとする課題】
【０００５】
近年、電子機器の小型化に伴い、回路基板の設置スペースが制約される場合が多い。例えば、副回路基板を主回路基板上に設置するスペースがなく、副回路基板の一端を主回路基板の端縁に設けられたコネクタに接続し、副回路基板の他端を主回路基板の外側で、筺体に支持する場合が考えられる。すなわち、副回路基板は、その一端が主回路基板に固定され、他端が筺体に固定される。この場合、例えば、筺体に負荷が作用して変形し、主回路基板に対して筺体が変位すると、コネクタの位置で副回路基板が主回路基板に対して変位することになり、コネクタと副回路基板との接続不良が生じる虞がある。
【０００６】
また、副回路基板の他端部をばねのみによって支持する場合、筺体あるいは主回路基板に負荷が作用した際、副回路基板を安定して支持することができず、コネクタと副回路基板との接続部に負荷が作用する虞がある。
【０００７】
この発明は、このような事情にもとづいてなされたもので、その目的は、副回路基板を安定して支持し接続不良の発生を防止し、信頼性の向上を図ることが可能な電子機器を提供することにある。
【課題を解決するための手段】
【０００８】
上記課題を達成するため、この発明の態様に係る電子機器は、内面を有する筺体と、一方の表面が前記内面に対向して前記筺体内に配設された主回路基板と、前記主回路基板上に実装されたコネクタと、前記コネクタに接続された一端部と前記主回路基板の外側に延出する延出部とを有し、前記主回路基板とほぼ平行に配置された副回路基板と、前記主回路基板の前記一方の表面が対向する前記内面と前記副回路基板の延出部との間に設けられ、前記延出部を前記副回路基板の表面と交差する方向に弾性変形可能なばね部で支持し、前記延出部に固定され前記副回路基板の面方向の移動を規制するばね支持機構と、を備えている。
【発明の効果】
【０００９】
以上構成によれば、副回路基板の延出部を弾性的に支持することにより、筺体が変形した場合でも副回路基板と主回路基板との間の相対変位を低減し、副回路基板とコネクタとの間の接続不良の発生を防止し、信頼性の向上が可能な電子機器が得られる。
【図面の簡単な説明】
【００１０】
【図１】図１は、この発明の第１の実施形態に係るパーソナルコンピュータを示す斜視図。
【図２】図２は、トップカバーの一部を破断してパーソナルコンピュータの筐体内部を示す斜視図。
【図３】図３は、前記パーソナルコンピュータの主回路基板および副回路基板の接続状態を示す斜視図。
【図４】図４は、図３の線Ａ−Ａに沿った前記パーソナルコンピュータの断面図。
【図５】図５は、前記ばね支持部材による前記副回路基板の支持状態を示す正面図。
【図６】図６は、前記主回路基板、副回路基板、ばね支持部材を示す分解斜視図。
【図７】図７は、前記ばね支持部材および筐体の取付け部を示す分解斜視図。
【図８】図８は、前記ばね支持部材の裏面側を示す斜視図。
【図９】図９は、第２の実施形態に係るパーソナルコンピュータのばね支持部材および副回路基板を示す分解斜視図。
【図１０】図１０は、第２の実施形態において、前記ばね支持部材による前記副回路基板の支持状態を示す正面図。
【図１１】図１１は、第３の実施形態に係るパーソナルコンピュータのばね支持部材および副回路基板を示す分解斜視図。
【図１２】図１２は、第３の実施形態において、前記ばね支持部材による前記副回路基板の支持状態を示す正面図。
【図１３】図１３は、第４の実施形態に係るパーソナルコンピュータのばね支持部材および副回路基板を示す分解斜視図。
【図１４】図１４は、第４の実施形態において、前記ばね支持部材による前記副回路基板の支持状態を示す正面図。
【図１５】図１５は、第５の実施形態において、ばね支持部材による副回路基板の支持状態を示す正面図。
【発明を実施するための形態】
【００１１】
以下、図面を参照しながら、この発明の実施形態に係る電子機器について詳細に説明する。  
図１は、電子機器として第１の実施形態に係るパーソナルコンピュータを示し、図２は、パーソナルコンピュータの筺体の一部を破断して筺体内部を示す斜視図、図３は、主回路基板と副回路基板とを拡大して示す斜視図である。
【００１２】
図１に示すように、パーソナルコンピュータ１０は、機器本体１２と、機器本体に支持されたディスプレイユニット１３とを備えている。機器本体１２は、筐体１４を有している。この筐体１４は、矩形状のベース１５とこれに嵌合されたほぼ矩形状のトップカバー１６とを有し、偏平な箱状に形成されている。筐体１４は、例えば合成樹脂により形成されている。
【００１３】
トップカバー１６の中央部および後半部に亘ってほぼ矩形状の開口１９が形成され、この開口内に図示しない支持板金およびキーボード２０が露出して設けられている。トップカバー１６のほぼ前半部分は、パームレスト２２を形成している。パームレスト２２の中央部には、ポインティングデバイスを操作するための操作領域２４およびクリックスイッチ２５が設けられている。トップカバー１６の前端部１６ａには、パーソナルコンピュータ１０の動作状態を示す複数のインジケータ２６が設けられている。トップカバー１６の後端部には、筐体１４の幅方向に離間して一対の脚部２８が設けられている。
【００１４】
ディスプレイユニット１３は、偏平な矩形状のディスプレイハウジング３０およびディスプレイハウジング３０に収容された液晶表示パネル３２を備えている。ディスプレイハウジング３０の前壁には、表示用の窓部３１が形成されている。窓部３１は前壁の大部分にわたる大きさを有し、この窓部３１を通して液晶表示パネル３２の表示画面がディスプレイハウジング３０の外方に露出している。
【００１５】
ディスプレイハウジング３０は、その一端部に一対の連結凹部３３を有している。これら連結凹部３３は、ディスプレイハウジング３０の幅方向に離間して配置され、それぞれ筐体１４の脚部２８に係合している。そして、ディスプレイハウジング３０は、連結凹部３３および脚部２８に設けられた図示しないヒンジにより、筐体１４に対して回動可能に支持されている。
【００１６】
これにより、ディスプレイユニット１３は、パームレスト２２やキーボード２０を含む筐体１４の上面を上方から覆うように倒される閉塞位置と、筐体の上面および液晶表示パネル３２を露出させるように起立する開き位置とにわたって回動可能となっている。なお、図１では、ディスプレイユニット１３が開き位置に回動された状態のパーソナルコンピュータ１を示している。
【００１７】
図２に示すように、筐体１４内には、主プリント回路基板（マザーボード）４０、冷却ファン４２、種々のコネクタ、図示しない二次電池等が配設されている。主プリント回路基板４０は、ベース１５の底面１５ａに立設された複数のボス４１（図４参照）にねじ止め固定され、ベース１５の底面に対し隙間を置いてほぼ平行に対向している。また、主プリント回路基板４０は、キーボード２０の下の領域を含み、ベース１５のほぼ半分の面積に亘って設けられている。主プリント回路基板４０上には、多数の電子部品が実装されている。また、副回路基板を接続するためのコネクタ４４が、主プリント回路基板４０の周縁近傍に実装されている。
【００１８】
図３は、パーソナルコンピュータの主プリント回路基板４０および副回路基板の接続状態を示し、図４は、図３の線Ａ−Ａに沿ったパーソナルコンピュータの断面図、図５は、ばね支持部材による副回路基板の支持状態を示す正面図、図６は、主プリント回路基板、副回路基板、ばね支持部材を示す分解斜視図である。
【００１９】
図２ないし図４に示すように、主プリント回路基板４０上に実装されたコネクタ４４には、副回路基板５０、例えば、無線ＬＡＮ基板の一端が接続されている。副回路基板５０は、コネクタ４４から主プリント回路基板４０の外方に延出し、その延出部は、ベース１５の底面上に設けられたばね支持部材６０により、弾性的に支持されているとともに、基板５０の面方向の移動が規制されている。
【００２０】
図６に示すように、副回路基板５０は矩形状に形成され、その一端部に複数の接続端子５２が形成されている。副回路基板５０の中央部には偏平な箱状の電子部品５０ａが実装され、他端部には一対の透孔５４が形成されている。図３ないし図６に示すように、副回路基板５０は、接続端子５２が形成された一端が主プリント回路基板４０のコネクタ４４に嵌合され、このコネクタ４４を介して主プリント回路基板４０に電気的、かつ、機械的に接続されている。
【００２１】
副回路基板５０は、コネクタ４４から主プリント回路基板４０の外方に延出し、主プリント回路基板４０とほぼ平行に延びている。主プリント回路基板４０の外側に位置する副回路基板５０の延出部、つまり、他端部５０ｂは、ベース１５の底面上に設けられたばね支持部材６０により弾性的に支持されている。また、一対の固定ねじ５６が副回路基板５０の透孔５４を通してばね支持部材６０にねじ込まれている。これにより、副回路基板５０の他端部５０ｂは、ばね支持部材６０にねじ止め固定されている。
【００２２】
図４ないし図８に示すように、ばね支持機構を構成するばね支持部材６０は、金属板ばねにより形成されている。ばね支持部材６０は、その中央部に位置する矩形状の固定部６２と、この固定部から両側に傾斜して延出する一対のアーム部６４と、を一体に有している。固定部６２には、円形の透孔６６ａおよび長孔状の透孔６６ｂが形成されている。それぞればね部として機能する各アーム部６４の自由端には透孔６７が形成されているとともに、この自由端の一面、ここでは、ベース１５側の面には、ナット６５が一体に固定され、透孔６７と整列している。なお、ナット６５は、円柱形状に形成され、その中心部にねじ孔を有している。各アーム部６４の中間部には位置決め孔７０が形成されている。この位置決め孔７０は、ばね支持部材６０をベース１５に固定する際に用いる。
【００２３】
図４ないし図７に示すように、ベース１５の底面には、矩形状の台座７２が形成され、この台座から２本の円柱形状の固定ピン７４がほぼ垂直上方に突出している。ベース１５の底面において、固定ピン７４の両側にそれぞれ細長い矩形状の位置決め突起７６が突設され、更に、これら位置決め突起の外側に、平坦な底面を有する凹所７８がそれぞれ形成されている。
【００２４】
ばね支持部材６０の固定部６２は、固定ピン７４がそれぞれ固定部６２の透孔６６ａ、６６ｂに挿通された状態で台座７２上に載置され、更に、固定ピン７４の延出端を溶着することにより、ベース１５の底面に固定されている。固定の際、ベース１５側の位置決め突起７６をアーム部６４に形成された位置決め孔７０にそれぞれ係合させることにより、ばね支持部材６０をベース１５に対して位置決めした状態で、固定部６２をベース１５に固定する。ベース１５に固定した状態において、一対のアーム部６４は、固定部から上方に向かって、つまり、ベース１５の底面から離れる方向に向かって斜めに傾斜して延びている。これにより、一対のアーム部６４は、固定部６２に対して、つまり、ベース１５に対して、弾性変形可能となっている。ここでは、各アーム部６４は、ベース１５の底面に対してほぼ垂直な方向に沿って、弾性変形可能となっている。アーム部６４の自由端に固定されたナット６８は、ベース１５の底面に対して、所定の間隔ｄ、例えば、０．３〜０．５ｍｍの間隔を置いて対向している。ナット６８は、アーム部６４の過度の弾性変形を規制するストッパとしても機能する。
【００２５】
図３ないし図６に示すように、副回路基板５０の他端部５０ｂは、ばね支持部材６０の一対のアーム部６４の自由端部上に載置され、更に、一対の固定ねじ５６によりアーム部６４の自由端部にねじ止め固定されている。各固定ねじ５６は、副回路基板５０の透孔５４およびアーム部６４の透孔６７を通してナット６８にねじ込まれている。これにより、副回路基板５０の他端部５０ｂは、ばね支持部材６０によりコネクタ４４とほぼ同一高さに支持され、副回路基板５０は主プリント回路基板４０とほぼ平行に保持されている。また、ばね支持部材６０のアーム部６４はベース１５の底面に対してほぼ垂直な方向、つまり、副回路基板５０の表面に対して垂直な方向に弾性変形可能であることから、外力が作用してベース１５が変形した場合でも、アーム部６４の弾性変形によりこれを吸収し、副回路基板５０の他端部５０ｂの変位を防止することができる。例えば、図４および図５に矢印Ｚで示すように、ベース１５の周縁部、特に、ばね支持部材６０が設けられている部分に、外力が作用し、筐体１４の内側に向かって変形した場合、アーム部６４が弾性変形することにより、固定部６２のみが変位し、アーム部６４の自由端部およびこれに固定された副回路基板５０の他端部５０ｂは、変位することなく、所定位置に保持される。
【００２６】
更に、ばね支持部材６０は、副回路基板５０の表面と平行な方向へはほとんど弾性変形することがない。そのため、副回路基板５０の他端部５０ｂをばね支持部材６０にねじ止めすることにより、他端部５０ｂは、副回路基板５０の面方向、つまり、Ｘ方向およびＹ方向の移動がばね支持部材６０によって規制されている。従って、副回路基板５０が不用意に移動することがなく、特に、コネクタ４４から外れる方向に移動することがなく、コネクタ４４と確実に接続した状態に保持されている。
【００２７】
ベース１５の前端部１５ｂおよびトップカバー１６の前端部１６ａは、ユーザがパーソナルコンピュータ１０を持ち運ぶ際に掴まれ易い部分であるため、外力が作用しやすい部分である。副回路基板５０の他端部５０ｂが、ベース１５の前端部１５ｂ、トップカバー１６の前端部１６ａの近傍に位置する場合には、特に副回路基板５０に対して外力が作用し易くなる。しかし、ばね支持部材６０が同じように、ベース１５の前端部１５ｂ、トップカバー１６の前端部１６ａの近傍に位置するように設けられるのであれば、ばね支持部材６０に設けられたアーム部６４が弾性変形することで、外力による影響を吸収し、副回路基板５０の他端部５０ｂの変位を防止することができる。
【００２８】
以上のことから、ばね支持部材６０により副回路基板５０を安定し支持することができ、また、筐体１４が変形した場合でも副回路基板５０の変位を防止することができる。これにより、副回路基板５０とコネクタ４４との接続部に負荷が作用することを防止し、接続不良を生じることなく、これらの接続状態を安定して維持することができる。これにより、信頼性の向上した電子機器が得られる。
【００２９】
次に、この発明の他の実施形態に係るパーソナルコンピュータについて説明する。  
図９および図１０は、第２の実施形態に係るパーソナルコンピュータのばね支持機構を示している。第２の実施形態によれば、金属板ばねで形成されたばね支持部材６０は、固定部６２および固定部から両側に延出した２つのアーム部６４を有している。各アーム部６４の自由端において、ナット６８は、副回路基板５０側の面に固定されている。固定部６２は、筐体１４のベース１５の底面上に固定ピン７４によって固定されている。
【００３０】
筐体１４のベース１５の底面には、２つの円柱形状のストッパ８０が形成され、それぞれ所定の隙間ｄをおいてアーム部６４の自由端と対向している。ストッパ８０は、アーム部６４の過度の弾性変形を規制する。副回路基板５０の一端は、主プリント回路基板上のコネクタ４４に接続され、他端部５０ｂは、２つの固定ねじ５６により、ばね支持部材６０のアーム部６４の自由端部にねじ止め固定されている。
【００３１】
第２の実施形態において、他の構成は、前述した第１の実施形態と同一であり、同一の部分には同一の参照符号を付してその詳細な説明を省略する。第２の実施形態においても、ばね支持部材６０により副回路基板５０を安定し支持することができ、副回路基板５０とコネクタ４４との接続不良を防止し、信頼性の向上した電子機器が得られる。
【００３２】
図１１および図１２は、第３の実施形態に係るパーソナルコンピュータのばね支持機構を示している。第３の実施形態によれば、金属板ばねで形成されたばね支持部材６０は、固定部６２および固定部から一方に延出した１つのアーム部６４を有している。アーム部６４の自由端において、副回路基板５０側の面にナット６８が固定されている。固定部６２は、筐体１４のベース１５の底面上に固定ピン７４によって固定されている。
【００３３】
筐体１４のベース１５の底面には、円柱形状のストッパ８０が形成され、所定の隙間ｄをおいてアーム部６４の自由端と対向している。ストッパ８０は、アーム部６４の過度の弾性変形を規制する。副回路基板５０の一端は、主プリント回路基板上のコネクタ４４に接続され、他端部５０ｂの中央部は、固定ねじ５６により、ばね支持部材６０のアーム部６４の自由端部にねじ止め固定されている。
【００３４】
第３の実施形態において、他の構成は、前述した第１の実施形態と同一であり、同一の部分には同一の参照符号を付してその詳細な説明を省略する。第３の実施形態においても、ばね支持部材６０により副回路基板５０を安定し支持することができ、副回路基板５０とコネクタ４４との接続不良を防止し、信頼性の向上した電子機器が得られる。また、第３の実施形態によれば、ばね支持部材６０をコンパクト化し、設置スペースの低減を図ることが可能となる。
【００３５】
図１３および図１４は、第４の実施形態に係るパーソナルコンピュータのばね支持機構を示している。第４の実施形態によれば、ばね支持機構を構成するばね支持部材と、副回路基板５０とは、ねじ止めではなく、係合突起と係合溝との組み合わせにより固定されている。すなわち、金属板ばねで形成されたばね支持部材６０は、固定部６２および固定部から両側に延出した２つのアーム部６４を有している。各アーム部６４の自由端は、ほぼＵ字形状に折り曲げられ保持部８２を形成しているとともに、この保持部８２の内面側に、係合突起８４が形成されている。係合突起８４は、副回路基板５０の表面と直交する方向に延びている。ばね支持部材６０の固定部６２は、筐体１４のベース１５の底面上に固定ピン７４によって固定されている。
【００３６】
筐体１４のベース１５の底面には、２つの円柱形状のストッパ８０が形成され、それぞれ所定の隙間をおいてアーム部６４の自由端と対向している。ストッパ８０は、アーム部６４の過度の弾性変形を規制する。副回路基板５０の一端は、主プリント回路基板上のコネクタ４４に接続され、他端部５０ｂは、ばね支持部材６０のアーム部６４の自由端部に保持されている。すなわち、他端部５０ｂの両側縁には係合溝５０ｃが形成されている。そして、他端部５０ｂの各側縁部は、アーム部６４の保持部８２に上下面側から挟まれ、副回路基板５０の表面と直交する方向およびＹ方向の移動が規制されている。また、アーム部６４の係合突起８４が他端部５０ｂの係合溝５０ｃと係合している。これにより、副回路基板５０のＸ方向の移動が規制されている。更に、アーム部６４が弾性変形することにより、ベース１５と副回路基板５０との相対位置の変化を吸収することができる。
【００３７】
第４の実施形態において、他の構成は、前述した第１の実施形態と同一であり、同一の部分には同一の参照符号を付してその詳細な説明を省略する。第４の実施形態においても、第１の実施形態と同様に、ばね支持部材６０により副回路基板５０を安定し支持することができ、副回路基板５０とコネクタ４４との接続不良を防止し、信頼性の向上した電子機器が得られる。また、第４の実施形態によれば、ねじを用いることなく、副回路基板５０の他端部５０ｂをばね支持部材６０に容易に固定することができる。
【００３８】
図１５は、第５の実施形態に係るパーソナルコンピュータのばね支持機構を示している。第５の実施形態によれば、ばね支持機構は、ばね部として機能する２つのコイルばね８８を備えている。筐体１４のベース１５の内面において、副回路基板５０の他端部５０ｂと対向する位置に２つのボス８６あるいはナットが設けられている。固定ねじ５６が副回路基板５０の他端部５０ｂに形成された透孔を通してボス８６にねじ込まれている。固定ねじ５６の周囲において、他端部５０ｂの上面および下面にはワッシャ８７ａ、８７ｂが装着されている。各固定ねじ５６ｂの周囲で、下面側のワッシャ８７ｂとボス８６との間にコイルばね８８が装着されている。これにより、副回路基板５０の他端部５０ｂは、コイルばね８８の弾性変形により、ベース１５と副回路基板５０との相対位置の変化を吸収可能に支持されているとともに、固定ねじ５６により、副回路基板５０の面方向の移動が規制された状態で所定位置に保持されている。
【００３９】
第５の実施形態において、他の構成は、前述した第１の実施形態と同一であり、同一の部分には同一の参照符号を付してその詳細な説明を省略する。第５の実施形態においても、第１の実施形態と同様に、ばね支持機構により副回路基板５０を安定し支持することができ、副回路基板５０とコネクタ４４との接続不良を防止し、信頼性の向上した電子機器が得られる。
【００４０】
この発明は上記実施形態そのままに限定されるものではなく、実施段階ではその要旨を逸脱しない範囲で構成要素を変形して具体化可能である。また、上記実施の形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。  
本発明に係る電子機器は、パーソナルコンピュータに制約されるものではなく、電子手帳やＰＤＡ等、種々の電子機器に広く適用することができる。副回路基板は、無線ＬＡＮ基板に限らず、ＳＳＤドライブ、テレビチューナ基板、メモリー基板等の種々の回路基板に適用することができる。  
以上、本発明を特にその好ましい実施の形態を参照して詳細に説明した。本発明の容易な理解のために、本発明の具体的な形態を以下に付記する。  
（付記１）  
筺体と、  
前記筺体内に配設され主回路基板と、  
前記主回路基板上に実装されたコネクタと、  
前記コネクタに接続された一端部と前記主回路基板の外側に延出する延出部とを有する副回路基板と、  
前記筺体と前記副回路基板の延出部との間に設けられ、前記延出部を前記副回路基板の表面と交差する方向に弾性変形可能なばね部で支持し、前記延出部に固定され前記副回路基板の面方向の移動を規制するばね支持機構と、  
を備え、  
前記ばね支持機構は、前記筺体の内面と前記副回路基板との間に配置されたばね支持部材を有し、このばね支持部材は、前記筐体に固定された固定部と、この固定部から延出し前記ばね部を形成するアーム部と、を有し、前記副回路基板の他端部は、前記アーム部の自由端上に支持および固定され、  
前記ばね支持部材は、金属板ばねにより形成され、アーム部の自由端に固定されたナットを有し、前記副回路基板の延出部は、前記ナットにねじ止めされている電子機器。  
（付記２）  
前記ナットは、前記アーム部において、前記副回路基板と反対側の面に固定され、前記筺体の内面と隙間を置いて対向し、前記アーム部の変位量を規制するストッパを構成している付記１に記載の電子機器。  
（付記３）  
前記ナットは、前記アーム部において、前記副回路基板側の面に固定され、前記ばね支持機構は、前記筺体に固定され前記アーム部と隙間を置いて対向し、前記アーム部の変位量を規制するストッパを有している付記２に記載の電子機器。  
（付記４）  
筺体と、  
前記筺体内に配設され主回路基板と、  
前記主回路基板上に実装されたコネクタと、  
前記コネクタに接続された一端部と前記主回路基板の外側に延出する延出部とを有する副回路基板と、  
前記筺体と前記副回路基板の延出部との間に設けられ、前記延出部を前記副回路基板の表面と交差する方向に弾性変形可能なばね部で支持し、前記延出部に固定され前記副回路基板の面方向の移動を規制するばね支持機構と、を備え、  
前記ばね支持機構は、前記筺体の内面と前記副回路基板との間に配置されたばね支持部材を有し、このばね支持部材は、前記筐体に固定された固定部と、この固定部から両側に延出しそれぞれ前記ばね部を形成する２つのアーム部と、を有し、前記副回路基板の他端部は、２つの前記アーム部の自由端上に支持および固定されている電子機器。  
（付記５）  
前記ばね支持部材は、金属板ばねにより形成され、前記アーム部の自由端に固定されたナットを有し、前記副回路基板の延出部は、前記ナットにねじ止めされている付記４に記載の電子機器。  
（付記６）  
前記ばね支持部材は、前記各アームの自由端に形成されほぼＵ字形状に折り曲げられた保持部と、前記保持部の内面に形成された係合突起と、を有し、  
前記副回路基板の延出部は、前記ばね支持部材の係合突起と係合する係合溝を有し、前記保持部に保持されている付記４に記載の電子機器。  
（付記７）  
底面を有するベースと、ベースに重ねて設けられたトップカバーと、を備える筺体と、  
前記筺体内に配設され、前記ベースの底面上にねじ止め固定された主回路基板と、  
前記主回路基板上に実装されたコネクタと、  
前記コネクタに接続された一端部と前記主回路基板の外側に延出する延出部とを有する副回路基板と、  
前記ベースの底面と前記副回路基板の延出部との間に設けられ、前記延出部を前記副回路基板の表面と交差する方向に弾性変形可能なばね部で支持し、前記延出部に固定され前記副回路基板の面方向の移動を規制するばね支持機構と、  
を備える電子機器。  
（付記８）  
前記ばね支持機構は、前記ベースの前端部に位置して設けられる付記７に記載の電子機器。
【符号の説明】
【００４１】
１０…パーソナルコンピュータ、１２…機器本体、１３…ディスプレイユニット、
１４…筐体、１５…ベース、１６…トップカバー、２０…キーボード、  ４０…主プリント回路基板、４４…コネクタ、５０…副回路基板、５０ｂ…他端部、５６…固定ねじ、６０…ばね支持部材、６２…固定部、６４…アーム部、６８…ナット
【図１】
0005558072.tif 000002
【図２】
0005558072.tif 000003
【図３】
0005558072.tif 000004
【図４】
0005558072.tif 000005
【図５】
0005558072.tif 000006
【図６】
0005558072.tif 000007
【図７】
0005558072.tif 000008
【図８】
0005558072.tif 000009
【図９】
0005558072.tif 000010
【図１０】
0005558072.tif 000011
【図１１】
0005558072.tif 000012
【図１２】
0005558072.tif 000013
【図１３】
0005558072.tif 000014
【図１４】
0005558072.tif 000015
【図１５】
0005558072.tif 000016